(57)【要約】【課題】  信号光の反射を防ぐ信号光反射阻止回路を提供する。【解決手段】  反射阻止帯域内の波長の光は単一方向にのみ伝達し、反射阻止帯域外の波長の光は双方向に伝達する信号光反射阻止回路であって、第１から第４の４つの端子を持つ光サーキュレータと、入力された光のうち反射阻止帯域外の波長の光のみを透過し反射阻止帯域内の波長の光を遮断する透過波長選択回路とを有し、信号光入力ポートは光サーキュレータの第１の端子に接続され、光サーキュレータの第２の端子は信号光出力ポートに接続され、光サーキュレータの第３の端子の出力は透過波長選択回路へ入力され、透過波長選択回路の出力は４端子光サーキュレータの第４の端子に入力され、反射阻止帯域は波長軸上に１つ以上存在する。【選択図】    図１
2005102107.tif 000002
【特許請求の範囲】
【請求項１】
反射阻止帯域内の波長の光は単一方向にのみ伝達し、反射阻止帯域外の波長の光は双方向に伝達する信号光反射阻止回路であって、
信号光を入力する信号光入力ポートと、
前記信号光を出力する信号光出力ポートと、
第１から第４の４つの端子を持ち、第１の端子から第２の端子、第２の端子から第３の端子、第３の端子から第４の端子及び第４の端子から第１の端子の方向へは光を伝播させ、これ以外の方向へは光を遮断する光サーキュレータと、
入力された光のうち前記反射阻止帯域外の波長の光のみを透過し前記反射阻止帯域内の波長の光を遮断する透過波長選択回路とを有し、
前記信号光入力ポートは前記光サーキュレータの第１の端子に接続され、
前記光サーキュレータの第２の端子は前記信号光出力ポートに接続され、
前記光サーキュレータの第３の端子の出力は前記透過波長選択回路へ入力され、
前記透過波長選択回路の出力は前記４端子光サーキュレータの第４の端子に入力され、  前記反射阻止帯域は波長軸上に１つ以上存在することを特徴とする信号光反射阻止回路。
【請求項２】
前記透過波長選択回路は、前記反射阻止帯域内の波長の光を遮断しかつ前記反射阻止帯域外の波長の光を透過させる干渉型光フィルタを有することを特徴とする請求項１に記載の信号光反射阻止回路。
【請求項３】
前記透過波長選択回路は、
１つの入力端子と複数ｎの出力端子を有する分波用ＡＷＧと、
複数ｎの入力端子と１つの出力端子を有する合波用ＡＷＧとを有し、
前記透過波長選択回路へ入力された光は前記分波用ＡＷＧの入力端子に入力され、
前記分波用ＡＷＧのｎ個の出力端子は前記合波用ＡＷＧのｎ個の入力端子に各々接続され、
前記合波用ＡＷＧの出力端子から出力された光を前記透過波長選択回路の出力とし、
前記分波用ＡＷＧの出力端子からは前記反射阻止帯域外の波長の光のみが分波されて出力され、
前記合波用ＡＷＧの出力端子からは前記反射阻止帯域外の波長の光のみが合波されて出力されることを特徴とする請求項１に記載の信号光反射阻止回路。
【請求項４】
反射阻止帯域内の波長の光は単一方向にのみ伝達し、反射阻止帯域外の波長の光は双方向に伝達する信号光反射阻止回路であって、
信号光を入力する信号光入力ポートと、
前記信号光を出力する信号光出力ポートと、
第１から第３の３つの端子を持ち、第１の端子から第２の端子、第２の端子から第３の端子及び第３の端子から第１の端子の方向へは光を伝播させ、これ以外の方向へは光を遮断する光サーキュレータと、
入力された光のうち反射阻止帯域外の波長の光のみを反射し反射阻止帯域内の波長の光を終端する反射波長選択回路とを有し、
前記信号光入力ポートは前記光サーキュレータの第１の端子に接続され、
前記光サーキュレータの第２の端子は前記信号光出力ポートに接続され、
前記光サーキュレータの第３の端子の出力は前記反射波長選択回路へ入力され、
前記反射阻止帯域は波長軸上に１つ以上存在することを特徴とする信号光反射阻止回路。
【請求項５】
前記反射波長選択回路は、
干渉型光フィルタと、
全反射ミラーとを有し、
前記反射波長選択回路へ入力された光は前記干渉型光フィルタの入力端子に入力され、  前記干渉型光フィルタの出力端子は前記全反射ミラーに接続され、
前記干渉型光フィルタは前記反射阻止帯域内の波長の光を遮断しかつ前記反射阻止帯域外の波長の光を透過させることを特徴とする請求項４に記載の信号光反射阻止回路。
【請求項６】
前記反射波長選択回路は、
１つの入力端子と複数ｎの出力端子を有する分波用ＡＷＧと、
複数ｎの入力端子と１つの出力端子を有する合波用ＡＷＧと、
全反射ミラーとを有し、
前記反射波長選択回路へ入力された光は前記分波用ＡＷＧの入力端子に入力され、
前記分波用ＡＷＧのｎ個の出力端子は前記合波用ＡＷＧのｎ個の入力端子に各々接続され、
前記合波用ＡＷＧの出力端子は前記全反射ミラーに接続され、
前記分波用ＡＷＧの出力端子からは前記反射阻止帯域外の波長の光のみが分波されて出力され、
前記合波用ＡＷＧの出力端子からは前記反射阻止帯域外の波長の光のみが合波されて出力されることを特徴とする請求項４に記載の信号光反射阻止回路。
【請求項７】
前記反射波長選択回路は、
ファイバグレーティングと、
光終端とを有し、
前記反射波長選択回路の入力は前記ファイバグレーティングの入力端子に入力され、
前記ファイバグレーティングの出力端子は前記光終端に接続され、
前記ファイバグレーティングは前記反射阻止帯域外の波長の光を反射することを特徴とする請求項４に記載の信号光反射阻止回路。
【請求項８】
１つ以上の波長の信号光を送信する送信局と、該信号光を受信する受信局と、前記送信局と前記受信局とを結ぶ伝送区間を有する光伝送システムであって、
前記伝送区間は２つ以上の光伝送路と１以上の請求項１乃至７のいずれかに記載の信号光反射阻止回路とが縦列に接続された構成であり、
前記信号光の波長は前記反射阻止帯域内にあることを特徴とする光伝送システム。
【請求項９】
前記送信局または前記受信局内にＯＴＤＲ試験器を有し、
前記ＯＴＤＲ試験器から出力されるＯＴＤＲ信号は前記信号光と波長多重されて同一の光伝送区間を前記信号光と同一方向または逆方向に伝播し、
前記ＯＴＤＲ信号の波長は前記反射阻止帯域外にあることを特徴とする請求項８に記載の光伝送システム。
【請求項１０】
前記送信局または前記受信局内に監視制御光送信器を有し、
前記監視制御光送信器から出力される監視制御光は前記信号光と波長多重されて同一の光伝送区間を前記信号光と同一方向または逆方向に伝播し、
前記監視制御光の波長は前記反射阻止帯域外にあることを特徴とする請求項８に記載の光伝送システム。
【請求項１１】
前記伝送区間は更に１つ以上の光増幅手段を有することを特徴とする請求項８に記載の光伝送システム。
【請求項１２】
前記光増幅手段は集中利得光型の光アンプであることを特徴とする請求項１１に記載の光伝送システム。
【請求項１３】
前記光増幅手段は前記光伝送路に利得を持たせた分布増幅型の光アンプであることを特徴とする請求項１１に記載の光伝送システム。
【請求項１４】
前記光増幅手段は前記送信局または前記受信局から送信された励起光によって遠隔励起される希土類元素ドープファイバであることを特徴とする請求項１１に記載の光伝送システム。
【請求項１５】
前記光増幅手段に用いられる励起光の波長は、前記反射阻止帯城外であることを特徴とする請求項１１乃至１４のいずれかに記載の光伝送システム。
【請求項１６】
反射阻止帯域内の波長の光は単一方向にのみ伝達し、反射阻止帯域外の波長の光は双方向に伝達し、前方励起または後方励起によって励起可能な非可逆型の遠隔励起ユニットであって、
信号光を入力する信号光入力ポートと、
前記信号光を出力する信号光出力ポートと、
第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、
入力された光のうち前記反射阻止帯域外の波長の光のみを透過し前記反射阻止帯域内の波長の光を遮断する透過波長選択回路と、
希土類添加ファイバと、
共有ポートと非励起波長ポートと励起波長ポートを有し、前記希土類添加ファイバの励起波長とそれ以外の波長を分岐することが出来る第１および第２のＷＤＭカップラとを有し、
前記信号光入力ポートは前記第１の光サーキュレータの第２の端子に接続され、
前記第２の光サーキュレータの第２の端子は前記第１のＷＤＭカップラの非励起波長ポートに接続され、
前記第１のＷＤＭカップラの共有ポートは前記信号光出力ポートに接続され、
前記第１の光サーキュレータの第１の端子と前記第２の光サーキュレータの第３の端子とは前記透過波長選択回路を介して接続され、
前記第１の光サーキュレータの第３の端子と前記第２の光サーキュレータの第１の端子とは、前記希土類添加ファイバおよび前記第２のＷＤＭカップラの共有ポートおよび前記第２のＷＤＭカップラの非励起波長ポートとを縦列に配列することにより接続され、
前記第１のＷＤＭカップラの励起波長ポートと前記第２のＷＤＭカップラの励起波長ポートとは相互に接続され、
前記信号光出力ポートから入力された励起光は前記第１のＷＤＭカップラおよび第２のＷＤＭカップラの励起波長ポートを介して前記希土類添加ファイバに到達し、
前記反射阻止帯域は波長軸上に１つ以上存在する
ことを特徴とする遠隔励起ユニット。
【請求項１７】
反射阻止帯域内の波長の光は単一方向にのみ伝達し、反射阻止帯域外の波長の光は双方向に伝達し、前方励起または後方励起によって励起可能な非可逆型の遠隔励起ユニットであって、
信号光を入力する信号光入力ポートと、
前記信号光を出力する信号光出力ポートと、
第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、
入力された光のうち前記反射阻止帯域外の波長の光のみを透過し前記反射阻止帯城内の波長の光を遮断する透過波長選択回路と、
希土類添加ファイバと、
共有ポートと非励起波長ポートと励起波長ポートを有し、前記希土類添加ファイバの励起波長とそれ以外の波長を分岐することが出来る第１および第２のＷＤＭカップラとを有し、
前記信号光入力ポートは前記第１の光サーキュレータの第２の端子に接続され、
前記第２の光サーキュレータの第２の端子は前記信号光出力ポートに接続され、
前記第１の光サーキュレータの第１の端子は前記透過波長選択回路に接続され、
前記透過波長選択回路は前記第１のＷＤＭカップラの非励起波長ポートに接続され、
前記第１のＷＤＭカップラの共有ポートは前記第２の光サーキュレータの第３の端子に接続され、
前記第１の光サーキュレータの第３の端子と前記第２の光サーキュレータの第１の端子とは、前記希土類添加ファイバおよび前記第２のＷＤＭカップラの共有ポートおよび前記第２のＷＤＭカップラの非励起波長ポートとを縦列に配列することにより接続され、
前記第１のＷＤＭカップラの励起波長ポートと前記第２のＷＤＭカップラの励起波長ポートとは相互に接続され、
前記信号光出力ポートから入力された励起光は前記第２の光サーキュレータの第３の端子と前記第１のＷＤＭカップラおよび第２のＷＤＭカップラの励起波長ポートを介して前記希土類添加ファイバに到達し、
前記反射阻止帯域は波長軸上に１つ以上存在することを特徴とする遠隔励起ユニット。
【請求項１８】
反射阻止帯域内の波長の光は単一方向にのみ伝達し、反射阻止帯域外の波長の光は双方向に伝達し、前方励起または後方励起によって励起可能な非可逆型の遠隔励起ユニットであって、
信号光を入力する信号光入力ポートと、
前記信号光を出力する信号光出力ポートと、
第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、
入力された光のうち前記反射阻止帯域外の波長の光のみを透過し前記反射阻止帯域内の波長の光を遮断する透過波長選択回路と、
希土類添加ファイバと、
共有ポートと非励起波長ポートと励起波長ポートを有し、前記希土類添加ファイバの励起波長とそれ以外の波長を分岐することが出来る第１および第２のＷＤＭカップラとを有し、
前記信号光入力ポートは前記第１の光サーキュレータの第２の端子に接続され、
前記第２の光サーキュレータの第２の端子は前記第１のＷＤＭカップラの非励起波長ポートに接続され、
前記第１のＷＤＭカップラの共有ポートは前記信号光出力ポートに接続され、
前記第１の光サーキュレータの第１の端子と前記第２の光サーキュレータの第３の端子とは前記透過波長選択回路を介して接続され、
前記第１の光サーキュレータの第３の端子と前記第２のＷＤＭカップラの共有ポートとは、前記希土類添加ファイバを介して接続され、
記第２のＷＤＭカップラの非励起波長ポートは前記第２の光サーキュレータの第１の端子と接続され、
前記第１のＷＤＭカップラの励起波長ポートと前記第２のＷＤＭカップラの励起波長ポートとは相互に接続され、
前記信号光出力ポートから入力された励起光は前記第１のＷＤＭカップラおよび第２のＷＤＭカップラの励起波長ポートを介して前記希土類添加ファイバに到達し、
前記反射阻止帯域は波長軸上に１つ以上存在する
ことを特徴とする遠隔励起ユニット。
【請求項１９】
反射阻止帯域内の波長の光は単一方向にのみ伝達し、反射阻止帯域外の波長の光は双方向に伝達し、前方励起または後方励起によって励起可能な非可逆型の遠隔励起ユニットであって、
信号光を入力する信号光入力ポートと、
前記信号光を出力する信号光出力ポートと、
第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、
入力された光のうち前記反射阻止帯域外の波長の光のみを透過し前記反射阻止帯域内の波長の光を遮断する透過波長選択回路と、
希土類添加ファイバと、
共有ポートと非励起波長ポートと励起波長ポートを有し、前記希土類添加ファイバの励起波長とそれ以外の波長を分岐することが出来る第１および第２のＷＤＭカップラとを有し、
前記信号光入力ポートは前記第１の光サーキュレータの第２の端子に接続され、
前記第２の光サーキュレータの第２の端子は前記第１のＷＤＭカップラの非励起波長ポートに接続され、
前記第１のＷＤＭカップラの共有ポートは前記信号光出力ポートに接続され、
前記第１の光サーキュレータの第１の端子と前記第２の光サーキュレータの第３の端子とは前記透過波長選択回路を介して接続され、
前記第１の光サーキュレータの第３の端子は、前記第２のＷＤＭカップラの非励起波長ポートと接続され、
前記第２のＷＤＭカップラの共有ポートと前記第２の光サーキュレータの第１の端子とは、前記希土類添加ファイバを介して接続され、
前記第１のＷＤＭカップラの励起波長ポートと前記第２のＷＤＭカップラの励起波長ポートとは相互に接続され、
前記信号光出力ポートから入力された励起光は前記第１のＷＤＭカップラおよび第２のＷＤＭカップラの励起波長ポートを介して前記希土類添加ファイバに到達し、
前記反射阻止帯域は波長軸上に１つ以上存在する
ことを特徴とする遠隔励起ユニット。
【請求項２０】
反射阻止帯域内の波長の光は単一方向にのみ伝達し、反射阻止帯域外の波長の光は双方向に伝達し、前方励起または後方励起によって励起可能な非可逆型の遠隔励起ユニットであって、
信号光を入力する信号光入力ポートと、
前記信号光を出力する信号光出力ポートと、
第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、
入力された光のうち前記反射阻止帯域外の波長の光のみを透過し前記反射阻止帯城内の波長の光を遮断する透過波長選択回路と、
希土類添加ファイバと、
共有ポートと非励起波長ポートと励起波長ポートを有し、前記希土類添加ファイバの励起波長とそれ以外の波長を分岐することが出来る第１および第２のＷＤＭカップラとを有し、
前記信号光入力ポートは前記第１の光サーキュレータの第２の端子に接続され、
前記第２の光サーキュレータの第２の端子は前記信号光出力ポートに接続され、
前記第１の光サーキュレータの第１の端子は前記透過波長選択回路に接続され、
前記透過波長選択回路は前記第１のＷＤＭカップラの非励起波長ポートに接続され、
前記第１のＷＤＭカップラの共有ポートは前記第２の光サーキュレータの第３の端子に接続され、
前記第１の光サーキュレータの第３の端子と前記第２のＷＤＭカップラの共有ポートとは、前記希土類添加ファイバを介して接続され、
前記第２のＷＤＭカップラの非励起波長ポートは、前記第２の光サーキュレータの第１の端子と接続され、
前記第１のＷＤＭカップラの励起波長ポートと前記第２のＷＤＭカップラの励起波長ポートとは相互に接続され、
前記信号光出力ポートから入力された励起光は前記第２の光サーキュレータの第３の端子と前記第１のＷＤＭカップラおよび第２のＷＤＭカップラの励起波長ポートを介して前記希土類添加ファイバに到達し、
前記反射阻止帯域は波長軸上に１つ以上存在することを特徴とする遠隔励起ユニット。
【請求項２１】
反射阻止帯域内の波長の光は単一方向にのみ伝達し、反射阻止帯域外の波長の光は双方向に伝達し、前方励起または後方励起によって励起可能な非可逆型の遠隔励起ユニットであって、
信号光を入力する信号光入力ポートと、
前記信号光を出力する信号光出力ポートと、
第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、
入力された光のうち前記反射阻止帯域外の波長の光のみを透過し前記反射阻止帯城内の波長の光を遮断する透過波長選択回路と、
希土類添加ファイバと、
共有ポートと非励起波長ポートと励起波長ポートを有し、前記希土類添加ファイバの励起波長とそれ以外の波長を分岐することが出来る第１および第２のＷＤＭカップラとを有し、
前記信号光入力ポートは前記第１の光サーキュレータの第２の端子に接続され、
前記第２の光サーキュレータの第２の端子は前記信号光出力ポートに接続され、
前記第１の光サーキュレータの第１の端子は前記透過波長選択回路に接続され、
前記透過波長選択回路は前記第１のＷＤＭカップラの非励起波長ポートに接続され、
前記第１のＷＤＭカップラの共有ポートは前記第２の光サーキュレータの第３の端子に接続され、
前記第１の光サーキュレータの第３の端子は、前記第２のＷＤＭカップラの非励起波長ポートと接続され、
前記第２のＷＤＭカップラの共有ポートと前記第２の光サーキュレータの第１の端子とは、前記希土類添加ファイバを介して接続され、
前記第１のＷＤＭカップラの励起波長ポートと前記第２のＷＤＭカップラの励起波長ポートとは相互に接続され、
前記信号光出力ポートから入力された励起光は前記第２の光サーキュレータの第３の端子と前記第１のＷＤＭカップラおよび第２のＷＤＭカップラの励起波長ポートを介して前記希土類添加ファイバに到達し、
前記反射阻止帯域は波長軸上に１つ以上存在することを特徴とする遠隔励起ユニット。
【請求項２２】
前記透過波長選択回路は干渉型光フィルタを有し、
前記干渉型光フィルタは前記反射阻止帯域内の波長の光を遮断しかつ前記反射阻止帯城外の波長の光を透過させる
ことを特徴とする請求項１６乃至２１のいずれかに記載の遠隔励起ユニット。
【請求項２３】
前記透過波長選択回路は、
１つの入力端子と複数ｎの出力端子を有する前記分波用ＡＷＧと、
複数ｎの入力端子と１つの出力端子を有する前記合波用ＡＷＧとを有し、
前記透過波長選択回路へ入力された光は前記分波用ＡＷＧの入力端子に入力され、
前記分波用ＡＷＧのｎ個の出力端子は前記合波用ＡＷＧのｎ個の入力端子に各々接続され、
前記合波用ＡＷＧの出力端子から出力された光を前記透過波長選択回路の出力とし、
前記分波用ＡＷＧの出力端子からは前記反射阻止帯域外の波長の光のみが分波されて出力され、
前記合波用ＡＷＧの出力端子からは前記反射阻止帯域外の波長の光のみが合波されて出力されることを特徴とする請求項１６乃至２１のいずれかに記載の遠隔励起ユニット。
【請求項２４】
１つ以上の波長の信号光を送信する送信局と、信号光を受信する受信局と、前記送信局と前記受信局を結ぶ伝送区間を有する光伝送システムであって、
前記伝送区間は２つ以上の光伝送路と請求項１６乃至２３のいずれかに記載の遠隔励起ユニットとが縦列に接続された構成であり、
前記信号光の波長は前記反射阻止帯域内にあることを特徴とする光伝送システム。
【請求項２５】
前記送信局または前記受信局内にＯＴＤＲ試験器を有し、
前記ＯＴＤＲ試験器から出力されるＯＴＤＲ信号は前記信号光と波長多重されて同一の光伝送区間を前記信号光と同一方向または逆方向に伝播し、
前記ＯＴＤＲ信号の波長は前記反射阻止帯域外にあることを特徴とする請求項２４に記載の光伝送システム。
【請求項２６】
前記送信局または前記受信局内に監視制御光送信器を有し、
前記監視制御光送信器から出力される監視制御光は前記信号光と波長多重されて同一の光伝送区間を前記信号光と同一方向または逆方向に伝播し、
前記監視制御光の波長は前記反射阻止帯域外にあることを特徴とする請求項２４に記載の光伝送システム。
【請求項２７】
前記ＯＴＤＲ試験器は前記受信局内に配置され、
前記ＯＴＤＲ試験器から出力されたＯＴＤＲ信号は前記透過波長選択回路を通過し、
前記送信局と前記遠隔励起ユニットを結ぶ伝送区間内で反射された前記ＯＴＤＲ信号は、前記希土類添加ファイバを透過するように構成したことを特徴とする請求項２５に記載の光伝送システム。
【請求項２８】
前記ＯＴＤＲ信号の波長は、前記信号光の帯域外の帯域であり、かつ励起光が存在しない時に前記希土類添加ファイバの損失が少ない帯域であることを特徴とする請求項２５または２７のいずれかに記載の光伝送システム。
【請求項２９】
前記ＯＴＤＲ信号の波長帯域は、励起光が存在する場合の前記希土類添加ファイバの利得と、励起光が存在しない場合の前記希土類添加ファイバの損失との差の最大値が１０ｄＢ以下の帯域であることを特徴とする請求項２５または２７のいずれかに記載の光伝送システム。
【請求項３０】
前記ＯＴＤＲ信号の波長帯域は、励起光が存在する場合の前記希土類添加ファイバの利得と、励起光が存在しない場合の前記希土類添加ファイバの損失との差の最大値が５ｄＢ以下の帯域であることを特徴とする請求項２５または２７のいずれかに記載の光伝送システム。
【請求項３１】
前記ＯＴＤＲ信号の波長帯域は、励起光が存在する場合の前記希土類添加ファイバの利得と、励起光が存在しない場合の前記希土類添加ファイバの損失との差の最小値が１ｄＢ以上の帯域であることを特徴とする請求項２５または２７のいずれかに記載の光伝送システム。
【発明の詳細な説明】
【技術分野】
【０００１】
本発明は、多重反射による信号劣化を防止する光伝送システムに係わり、特に監視光が光伝送路中を信号光に対して逆進してしまうことを阻止する信号光反射阻止回路、非可逆型の遠隔励起ユニットに関する。
【背景技術】
【０００２】
高速光伝送システムにおいては、複数の光コネクタによる反射やダブルレーリー散乱などに由来する、信号光の多重反射が問題となる。光伝送路内で多重反射した信号光は雑音となって受信信号の品質劣化をもたらす要因となる。また光増幅器内での多重反射は発振を引き起こす可能性があり、光増幅器の動作を不安定にする要因となる。多重反射を阻止するためには、光伝送路の中、特に光増幅器の内部にアイソレータを配置することが有効である。しかし、光伝送路の中にアイソレータを配置すると、信号光と逆進する光は全て阻止されてしまう。その結果、ＯＴＤＲ（Optical Time Domain Reflectometry）信号のように信号光に対して逆進する光を検出する試験方法を採用することが出来なくなる。また受信局から送信局へ向けて、監視制御光を送信することが不可能となる。
この問題を解決するために、上り／下り回線をペアで用い、監視光と信号光とで使い分ける構成が提案されている（特許文献１、２）。また、光ファイバ増幅器内で光サーキュレータを用いて、信号光とその反射光とに異なる経路を辿らせ、信号光の反射光が再度エルビウムドープファイバ（以下、ＥＤＦと称する）を通過することを防ぐ構成が複数提案されている（非特許文献１及び特許文献３〜６）。また、特許文献７では、第１の波長では単方向性通過、第２の波長では双方向性通過の光部品を用い、第１の波長をシステム信号、第２の波長をＯＴＤＲ信号に割り当てる光通信システムが提案されている。
【特許文献１】特開平０４−２６４４３０号公報
【特許文献２】特開平０７−２４０７１５号公報
【特許文献３】特開平０５−１０２５８３号公報
【特許文献４】特開平０９−２１０８４７号公報
【特許文献５】特開平０９−２６１１８７号公報
【特許文献６】特開２０００−１５０９９７号公報
【特許文献７】特表平０９−５０８４９５号公報
【非特許文献１】１９９０年信学会秋季全国大会Ｂ−７６６、佐藤良明他
【発明の開示】
【発明が解決しようとする課題】
【０００３】
しかしながら、これらの構成には以下の問題点がある。特許文献１、２に記載の構成は、上りおよび下りの光伝送路間で監視光の乗り換えを行う必要があり、上り回線と下り回線のカップリングが必要になるなど、光伝送網の構成に制限が生じる。非特許文献１に記載の構成は、信号光の増幅には寄与しないＥＤＦと励起光をＯＴＤＲのために１組用意する必要があり、装置構成が冗長となる。また、特許文献３、４、６に記載の構成では、信号光の反射光がＥＤＦを迂回してはいるが、光コネクタ間の多重反射やダブルレーリー散乱を阻止することはできない。特許文献４を例にとれば、入射端（８）および出射端（９）で信号光が反射した場合、多重反射を阻止することは出来ないし、また信号光増幅部（２）の上流、下流の光伝走路間で発生するダブルレーリー散乱を阻止することはできない。特許文献６では、端局（１）とリモートアンプ（２）間に、送信信号光伝送路３ａと障害点標定用伝送路（５）とを設けているが、構成が冗長であるだけではなく、端局（１）とリモートアンプ（２）との間で障害が発生した時に障害点を正確に標定するのが困難になるという問題がある。また、非特許文献１及び特許文献１〜６の構成は線形中継器を含んでいるアクティブな光回路であるため、設置場所が限定されてしまう。特許文献７の構成によれば、この問題を解消できるが、特許文献７に記載の「光部品」の具体的な構成については波長依存性のある光アイソレータが開示されているのみである。この場合、「第１の波長」と「第２の波長」とを近接させることは技術的に困難である。さらに、特許文献７に記載の実施例では両波長を１．５５μｍおよび１．３μｍとしているが、光ファイバの損失やＥＤＦの利得がこれらの波長では全く異なってしまう。このため、ＯＴＤＲによって信号光のパワダイヤを正確に測定することは不可能であるという問題がある。
【０００４】
本発明は、このような事情に鑑みてなされたもので、信号光の反射を防ぐと同時にＯＴＤＲ信号や監視制御光の双方向の伝播を可能とし、かつ信号光とＯＴＤＲ信号の波長間隔を数ｎｍのオーダーとすることを可能とする、パッシブな信号光反射阻止回路、非可逆型遠隔励起ユニットを提供するとともに、この信号光反射阻止回路または非可逆型の遠隔励起ユニットを用い、信号光とＯＴＤＲ信号ないし監視制御光が同一の光伝送路を同方向または逆方向に伝播する光伝送システムを提供することを目的とする。
【課題を解決するための手段】
【０００５】
請求項１に記載の発明は、反射阻止帯域内の波長の光は単一方向にのみ伝達し、反射阻止帯域外の波長の光は双方向に伝達する信号光反射阻止回路であって、信号光を入力する信号光入力ポートと、前記信号光を出力する信号光出力ポートと、第１から第４の４つの端子を持ち、第１の端子から第２の端子、第２の端子から第３の端子、第３の端子から第４の端子及び第４の端子から第１の端子の方向へは光を伝播させ、これ以外の方向へは光を遮断する光サーキュレータと、入力された光のうち前記反射阻止帯域外の波長の光のみを透過し前記反射阻止帯域内の波長の光を遮断する透過波長選択回路とを有し、前記信号光入力ポートは前記光サーキュレータの第１の端子に接続され、前記光サーキュレータの第２の端子は前記信号光出力ポートに接続され、前記光サーキュレータの第３の端子の出力は前記透過波長選択回路へ入力され、前記透過波長選択回路の出力は前記４端子光サーキュレータの第４の端子に入力され、前記反射阻止帯域は波長軸上に１つ以上存在することを特徴とする。
【０００６】
請求項２に記載の発明は、前記透過波長選択回路は、前記反射阻止帯域内の波長の光を遮断しかつ前記反射阻止帯域外の波長の光を透過させる干渉型光フィルタを有することを特徴とする。
【０００７】
請求項３に記載の発明は、前記透過波長選択回路は、１つの入力端子と複数ｎの出力端子を有する分波用ＡＷＧと、複数ｎの入力端子と１つの出力端子を有する合波用ＡＷＧとを有し、前記透過波長選択回路へ入力された光は前記分波用ＡＷＧの入力端子に入力され、前記分波用ＡＷＧのｎ個の出力端子は前記合波用ＡＷＧのｎ個の入力端子に各々接続され、前記合波用ＡＷＧの出力端子から出力された光を前記透過波長選択回路の出力とし、前記分波用ＡＷＧの出力端子からは前記反射阻止帯域外の波長の光のみが分波されて出力され、前記合波用ＡＷＧの出力端子からは前記反射阻止帯域外の波長の光のみが合波されて出力されることを特徴とする。
【０００８】
請求項４に記載の発明は、反射阻止帯域内の波長の光は単一方向にのみ伝達し、反射阻止帯域外の波長の光は双方向に伝達する信号光反射阻止回路であって、信号光を入力する信号光入力ポートと、前記信号光を出力する信号光出力ポートと、第１から第３の３つの端子を持ち、第１の端子から第２の端子、第２の端子から第３の端子及び第３の端子から第１の端子の方向へは光を伝播させ、これ以外の方向へは光を遮断する光サーキュレータと、入力された光のうち反射阻止帯域外の波長の光のみを反射し反射阻止帯域内の波長の光を終端する反射波長選択回路とを有し、前記信号光入力ポートは前記光サーキュレータの第１の端子に接続され、前記光サーキュレータの第２の端子は前記信号光出力ポートに接続され、前記光サーキュレータの第３の端子の出力は前記反射波長選択回路へ入力され、前記反射阻止帯域は波長軸上に１つ以上存在することを特徴とする。
【０００９】
請求項５に記載の発明は、前記反射波長選択回路は、干渉型光フィルタと、全反射ミラーとを有し、前記反射波長選択回路へ入力された光は前記干渉型光フィルタの入力端子に入力され、前記干渉型光フィルタの出力端子は前記全反射ミラーに接続され、前記干渉型光フィルタは前記反射阻止帯域内の波長の光を遮断しかつ前記反射阻止帯域外の波長の光を透過させることを特徴とする。
【００１０】
請求項６に記載の発明は、前記反射波長選択回路は、１つの入力端子と複数ｎの出力端子を有する分波用ＡＷＧと、複数ｎの入力端子と１つの出力端子を有する合波用ＡＷＧと、全反射ミラーとを有し、前記反射波長選択回路へ入力された光は前記分波用ＡＷＧの入力端子に入力され、前記分波用ＡＷＧのｎ個の出力端子は前記合波用ＡＷＧのｎ個の入力端子に各々接続され、前記合波用ＡＷＧの出力端子は前記全反射ミラーに接続され、前記分波用ＡＷＧの出力端子からは前記反射阻止帯域外の波長の光のみが分波されて出力され、前記合波用ＡＷＧの出力端子からは前記反射阻止帯域外の波長の光のみが合波されて出力されることを特徴とする。
【００１１】
請求項７に記載の発明は、前記反射波長選択回路は、ファイバグレーティングと、光終端とを有し、前記反射波長選択回路の入力は前記ファイバグレーティングの入力端子に入力され、前記ファイバグレーティングの出力端子は前記光終端に接続され、前記ファイバグレーティングは前記反射阻止帯域外の波長の光を反射することを特徴とする。
【００１２】
請求項８に記載の発明は、１つ以上の波長の信号光を送信する送信局と、該信号光を受信する受信局と、前記送信局と前記受信局とを結ぶ伝送区間を有する光伝送システムであって、前記伝送区間は２つ以上の光伝送路と１以上の請求項１乃至７のいずれかに記載の信号光反射阻止回路とが縦列に接続された構成であり、前記信号光の波長は前記反射阻止帯域内にあることを特徴とする。
【００１３】
請求項９に記載の発明は、前記送信局または前記受信局内にＯＴＤＲ試験器を有し、前記ＯＴＤＲ試験器から出力されるＯＴＤＲ信号は前記信号光と波長多重されて同一の光伝送区間を前記信号光と同一方向または逆方向に伝播し、前記ＯＴＤＲ信号の波長は前記反射阻止帯域外にあることを特徴とする。
【００１４】
請求項１０に記載の発明は、前記送信局または前記受信局内に監視制御光送信器を有し、前記監視制御光送信器から出力される監視制御光は前記信号光と波長多重されて同一の光伝送区間を前記信号光と同一方向または逆方向に伝播し、前記監視制御光の波長は前記反射阻止帯域外にあることを特徴とする。
【００１５】
請求項１１に記載の発明は、前記伝送区間は更に１つ以上の光増幅手段を有することを特徴とする。
【００１６】
請求項１２に記載の発明は、前記光増幅手段は集中利得光型の光アンプであることを特徴とする。
【００１７】
請求項１３に記載の発明は、前記光増幅手段は前記光伝送路に利得を持たせた分布増幅型の光アンプであることを特徴とする。
【００１８】
請求項１４に記載の発明は、前記光増幅手段は前記送信局または前記受信局から送信された励起光によって遠隔励起される希土類元素ドープファイバであることを特徴とする。      
【００１９】
請求項１５に記載の発明は、前記光増幅手段に用いられる励起光の波長は、前記反射阻止帯城外であることを特徴とする。
【００２０】
請求項１６に記載の発明は、反射阻止帯域内の波長の光は単一方向にのみ伝達し、反射阻止帯域外の波長の光は双方向に伝達し、前方励起または後方励起によって励起可能な非可逆型の遠隔励起ユニットであって、信号光を入力する信号光入力ポートと、前記信号光を出力する信号光出力ポートと、第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、
入力された光のうち前記反射阻止帯域外の波長の光のみを透過し前記反射阻止帯域内の波長の光を遮断する透過波長選択回路と、希土類添加ファイバと、共有ポートと非励起波長ポートと励起波長ポートを有し、前記希土類添加ファイバの励起波長とそれ以外の波長を分岐することが出来る第１および第２のＷＤＭカップラとを有し、前記信号光入力ポートは前記第１の光サーキュレータの第２の端子に接続され、前記第２の光サーキュレータの第２の端子は前記第１のＷＤＭカップラの非励起波長ポートに接続され、前記第１のＷＤＭカップラの共有ポートは前記信号光出力ポートに接続され、前記第１の光サーキュレータの第１の端子と前記第２の光サーキュレータの第３の端子とは前記透過波長選択回路を介して接続され、前記第１の光サーキュレータの第３の端子と前記第２の光サーキュレータの第１の端子とは、前記希土類添加ファイバおよび前記第２のＷＤＭカップラの共有ポートおよび前記第２のＷＤＭカップラの非励起波長ポートとを縦列に配列することにより接続され、前記第１のＷＤＭカップラの励起波長ポートと前記第２のＷＤＭカップラの励起波長ポートとは相互に接続され、前記信号光出力ポートから入力された励起光は前記第１のＷＤＭカップラおよび第２のＷＤＭカップラの励起波長ポートを介して前記希土類添加ファイバに到達し、前記反射阻止帯域は波長軸上に１つ以上存在することを特徴とする。
【００２１】
請求項１７に記載の発明は、反射阻止帯域内の波長の光は単一方向にのみ伝達し、反射阻止帯域外の波長の光は双方向に伝達し、前方励起または後方励起によって励起可能な非可逆型の遠隔励起ユニットであって、信号光を入力する信号光入力ポートと、前記信号光を出力する信号光出力ポートと、第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、入力された光のうち前記反射阻止帯域外の波長の光のみを透過し前記反射阻止帯城内の波長の光を遮断する透過波長選択回路と、希土類添加ファイバと、共有ポートと非励起波長ポートと励起波長ポートを有し、前記希土類添加ファイバの励起波長とそれ以外の波長を分岐することが出来る第１および第２のＷＤＭカップラとを有し、前記信号光入力ポートは前記第１の光サーキュレータの第２の端子に接続され、前記第２の光サーキュレータの第２の端子は前記信号光出力ポートに接続され、前記第１の光サーキュレータの第１の端子は前記透過波長選択回路に接続され、前記透過波長選択回路は前記第１のＷＤＭカップラの非励起波長ポートに接続され、前記第１のＷＤＭカップラの共有ポートは前記第２の光サーキュレータの第３の端子に接続され、前記第１の光サーキュレータの第３の端子と前記第２の光サーキュレータの第１の端子とは、前記希土類添加ファイバおよび前記第２のＷＤＭカップラの共有ポートおよび前記第２のＷＤＭカップラの非励起波長ポートとを縦列に配列することにより接続され、前記第１のＷＤＭカップラの励起波長ポートと前記第２のＷＤＭカップラの励起波長ポートとは相互に接続され、前記信号光出力ポートから入力された励起光は前記第２の光サーキュレータの第３の端子と前記第１のＷＤＭカップラおよび第２のＷＤＭカップラの励起波長ポートを介して前記希土類添加ファイバに到達し、前記反射阻止帯域は波長軸上に１つ以上存在することを特徴とする。
【００２２】
請求項１８に記載の発明は、反射阻止帯域内の波長の光は単一方向にのみ伝達し、反射阻止帯域外の波長の光は双方向に伝達し、前方励起または後方励起によって励起可能な非可逆型の遠隔励起ユニットであって、信号光を入力する信号光入力ポートと、前記信号光を出力する信号光出力ポートと、第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、入力された光のうち前記反射阻止帯域外の波長の光のみを透過し前記反射阻止帯域内の波長の光を遮断する透過波長選択回路と、希土類添加ファイバと、共有ポートと非励起波長ポートと励起波長ポートを有し、前記希土類添加ファイバの励起波長とそれ以外の波長を分岐することが出来る第１および第２のＷＤＭカップラとを有し、前記信号光入力ポートは前記第１の光サーキュレータの第２の端子に接続され、前記第２の光サーキュレータの第２の端子は前記第１のＷＤＭカップラの非励起波長ポートに接続され、前記第１のＷＤＭカップラの共有ポートは前記信号光出力ポートに接続され、前記第１の光サーキュレータの第１の端子と前記第２の光サーキュレータの第３の端子とは前記透過波長選択回路を介して接続され、前記第１の光サーキュレータの第３の端子と前記第２のＷＤＭカップラの共有ポートとは、前記希土類添加ファイバを介して接続され、記第２のＷＤＭカップラの非励起波長ポートは前記第２の光サーキュレータの第１の端子と接続され、前記第１のＷＤＭカップラの励起波長ポートと前記第２のＷＤＭカップラの励起波長ポートとは相互に接続され、前記信号光出力ポートから入力された励起光は前記第１のＷＤＭカップラおよび第２のＷＤＭカップラの励起波長ポートを介して前記希土類添加ファイバに到達し、前記反射阻止帯域は波長軸上に１つ以上存在することを特徴とする。
【００２３】
請求項１９に記載の発明は、反射阻止帯域内の波長の光は単一方向にのみ伝達し、反射阻止帯域外の波長の光は双方向に伝達し、前方励起または後方励起によって励起可能な非可逆型の遠隔励起ユニットであって、信号光を入力する信号光入力ポートと、前記信号光を出力する信号光出力ポートと、第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、
入力された光のうち前記反射阻止帯域外の波長の光のみを透過し前記反射阻止帯域内の波長の光を遮断する透過波長選択回路と、希土類添加ファイバと、共有ポートと非励起波長ポートと励起波長ポートを有し、前記希土類添加ファイバの励起波長とそれ以外の波長を分岐することが出来る第１および第２のＷＤＭカップラとを有し、前記信号光入力ポートは前記第１の光サーキュレータの第２の端子に接続され、前記第２の光サーキュレータの第２の端子は前記第１のＷＤＭカップラの非励起波長ポートに接続され、前記第１のＷＤＭカップラの共有ポートは前記信号光出力ポートに接続され、前記第１の光サーキュレータの第１の端子と前記第２の光サーキュレータの第３の端子とは前記透過波長選択回路を介して接続され、前記第１の光サーキュレータの第３の端子は、前記第２のＷＤＭカップラの非励起波長ポートと接続され、前記第２のＷＤＭカップラの共有ポートと前記第２の光サーキュレータの第１の端子とは、前記希土類添加ファイバを介して接続され、前記第１のＷＤＭカップラの励起波長ポートと前記第２のＷＤＭカップラの励起波長ポートとは相互に接続され、前記信号光出力ポートから入力された励起光は前記第１のＷＤＭカップラおよび第２のＷＤＭカップラの励起波長ポートを介して前記希土類添加ファイバに到達し、前記反射阻止帯域は波長軸上に１つ以上存在することを特徴とする。
【００２４】
請求項２０に記載の発明は、反射阻止帯域内の波長の光は単一方向にのみ伝達し、反射阻止帯域外の波長の光は双方向に伝達し、前方励起または後方励起によって励起可能な非可逆型の遠隔励起ユニットであって、信号光を入力する信号光入力ポートと、前記信号光を出力する信号光出力ポートと、第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、入力された光のうち前記反射阻止帯域外の波長の光のみを透過し前記反射阻止帯城内の波長の光を遮断する透過波長選択回路と、希土類添加ファイバと、共有ポートと非励起波長ポートと励起波長ポートを有し、前記希土類添加ファイバの励起波長とそれ以外の波長を分岐することが出来る第１および第２のＷＤＭカップラとを有し、前記信号光入力ポートは前記第１の光サーキュレータの第２の端子に接続され、前記第２の光サーキュレータの第２の端子は前記信号光出力ポートに接続され、前記第１の光サーキュレータの第１の端子は前記透過波長選択回路に接続され、前記透過波長選択回路は前記第１のＷＤＭカップラの非励起波長ポートに接続され、前記第１のＷＤＭカップラの共有ポートは前記第２の光サーキュレータの第３の端子に接続され、前記第１の光サーキュレータの第３の端子と前記第２のＷＤＭカップラの共有ポートとは、前記希土類添加ファイバを介して接続され、前記第２のＷＤＭカップラの非励起波長ポートは、前記第２の光サーキュレータの第１の端子と接続され、前記第１のＷＤＭカップラの励起波長ポートと前記第２のＷＤＭカップラの励起波長ポートとは相互に接続され、前記信号光出力ポートから入力された励起光は前記第２の光サーキュレータの第３の端子と前記第１のＷＤＭカップラおよび第２のＷＤＭカップラの励起波長ポートを介して前記希土類添加ファイバに到達し、前記反射阻止帯域は波長軸上に１つ以上存在することを特徴とする。
【００２５】
請求項２１に記載の発明は、反射阻止帯域内の波長の光は単一方向にのみ伝達し、反射阻止帯域外の波長の光は双方向に伝達し、前方励起または後方励起によって励起可能な非可逆型の遠隔励起ユニットであって、信号光を入力する信号光入力ポートと、前記信号光を出力する信号光出力ポートと、第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータと、入力された光のうち前記反射阻止帯域外の波長の光のみを透過し前記反射阻止帯城内の波長の光を遮断する透過波長選択回路と、希土類添加ファイバと、共有ポートと非励起波長ポートと励起波長ポートを有し、前記希土類添加ファイバの励起波長とそれ以外の波長を分岐することが出来る第１および第２のＷＤＭカップラとを有し、前記信号光入力ポートは前記第１の光サーキュレータの第２の端子に接続され、前記第２の光サーキュレータの第２の端子は前記信号光出力ポートに接続され、前記第１の光サーキュレータの第１の端子は前記透過波長選択回路に接続され、前記透過波長選択回路は前記第１のＷＤＭカップラの非励起波長ポートに接続され、前記第１のＷＤＭカップラの共有ポートは前記第２の光サーキュレータの第３の端子に接続され、前記第１の光サーキュレータの第３の端子は、前記第２のＷＤＭカップラの非励起波長ポートと接続され、前記第２のＷＤＭカップラの共有ポートと前記第２の光サーキュレータの第１の端子とは、前記希土類添加ファイバを介して接続され、前記第１のＷＤＭカップラの励起波長ポートと前記第２のＷＤＭカップラの励起波長ポートとは相互に接続され、前記信号光出力ポートから入力された励起光は前記第２の光サーキュレータの第３の端子と前記第１のＷＤＭカップラおよび第２のＷＤＭカップラの励起波長ポートを介して前記希土類添加ファイバに到達し、前記反射阻止帯域は波長軸上に１つ以上存在することを特徴とする。
【００２６】
請求項２２に記載の発明は、前記透過波長選択回路は干渉型光フィルタを有し、前記干渉型光フィルタは前記反射阻止帯域内の波長の光を遮断しかつ前記反射阻止帯城外の波長の光を透過させることを特徴とする。
【００２７】
請求項２３に記載の発明は、前記透過波長選択回路は、１つの入力端子と複数ｎの出力端子を有する前記分波用ＡＷＧと、複数ｎの入力端子と１つの出力端子を有する前記合波用ＡＷＧとを有し、前記透過波長選択回路へ入力された光は前記分波用ＡＷＧの入力端子に入力され、前記分波用ＡＷＧのｎ個の出力端子は前記合波用ＡＷＧのｎ個の入力端子に各々接続され、前記合波用ＡＷＧの出力端子から出力された光を前記透過波長選択回路の出力とし、前記分波用ＡＷＧの出力端子からは前記反射阻止帯域外の波長の光のみが分波されて出力され、前記合波用ＡＷＧの出力端子からは前記反射阻止帯域外の波長の光のみが合波されて出力されることを特徴とする。
【００２８】
請求項２４に記載の発明は、１つ以上の波長の信号光を送信する送信局と、信号光を受信する受信局と、前記送信局と前記受信局を結ぶ伝送区間を有する光伝送システムであって、前記伝送区間は２つ以上の光伝送路と請求項１６乃至２３のいずれかに記載の遠隔励起ユニットとが縦列に接続された構成であり、前記信号光の波長は前記反射阻止帯域内にあることを特徴とする。
【００２９】
請求項２５に記載の発明は、前記送信局または前記受信局内にＯＴＤＲ試験器を有し、前記ＯＴＤＲ試験器から出力されるＯＴＤＲ信号は前記信号光と波長多重されて同一の光伝送区間を前記信号光と同一方向または逆方向に伝播し、前記ＯＴＤＲ信号の波長は前記反射阻止帯域外にあることを特徴とする。
【００３０】
請求項２６に記載の発明は、前記送信局または前記受信局内に監視制御光送信器を有し、前記監視制御光送信器から出力される監視制御光は前記信号光と波長多重されて同一の光伝送区間を前記信号光と同一方向または逆方向に伝播し、前記監視制御光の波長は前記反射阻止帯域外にあることを特徴とする。
【００３１】
請求項２７に記載の発明は、前記ＯＴＤＲ試験器は前記受信局内に配置され、前記ＯＴＤＲ試験器から出力されたＯＴＤＲ信号は前記透過波長選択回路を通過し、前記送信局と前記遠隔励起ユニットを結ぶ伝送区間内で反射された前記ＯＴＤＲ信号は、前記希土類添加ファイバを透過するように構成したことを特徴とする。
【００３２】
請求項２８に記載の発明は、前記ＯＴＤＲ信号の波長は、前記信号光の帯域外の帯域であり、かつ励起光が存在しない時に前記希土類添加ファイバの損失が少ない帯域であることを特徴とする。
【００３３】
請求項２９に記載の発明は、前記ＯＴＤＲ信号の波長帯域は、励起光が存在する場合の前記希土類添加ファイバの利得と、励起光が存在しない場合の前記希土類添加ファイバの損失との差の最大値が１０ｄＢ以下の帯域であることを特徴とする。
【００３４】
請求項３０に記載の発明は、前記ＯＴＤＲ信号の波長帯域は、励起光が存在する場合の前記希土類添加ファイバの利得と、励起光が存在しない場合の前記希土類添加ファイバの損失との差の最大値が５ｄＢ以下の帯域であることを特徴とする。
【００３５】
請求項３１に記載の発明は、前記ＯＴＤＲ信号の波長帯域は、励起光が存在する場合の前記希土類添加ファイバの利得と、励起光が存在しない場合の前記希土類添加ファイバの損失との差の最小値が１ｄＢ以上の帯域であることを特徴とする。
【発明の効果】
【００３６】
本発明によれば、信号光の多重反射を防いで信号劣化を阻止するとともに、信号光と逆行するＯＴＤＲ信号や監視制御光を伝播させうる、光伝送システムの構成を可能とするという効果が得られる。
【発明を実施するための最良の形態】
【００３７】
以下、本発明の実施形態による信号光反射阻止回路及び光伝送システムを図面を参照して説明する。
初めに、本発明の信号光反射阻止回路の原理を簡単に説明する。
図１に、第１〜第４の４端子を有する４端子の光サーキュレータ１を用いた信号光反射阻止回路３の構成を示す。端子Ａから入射された光は、光サーキュレータ１のポート１からポート２へ進み、端子Ｂへと出力される。一方、端子Ｂから入射された光は、光サーキュレータ１の第２端子から第３端子へ進み、光フィルタ２へ入射する。端子Ｂから入射された光が光フィルタ２の透過帯城以外であった場合はここで終端されるが、透過帯域内であった場合は光フィルタ２を透過して再び４端子の光サーキュレータ１へ入力され、端子４および端子１を経由して端子Ａから出力する。
【００３８】
結果として、端子ＡからＢへは任意の波長の光が進行し、端子ＢからＡへは光フィルタ２の透過帯域内の信号のみが進行することができる。信号光の波長を光フィルタ２の透過帯域外とし、ＯＴＤＲ信号または監視制御光の波長を光フィルタ２の透過帯域内とし、端子Ａを信号光入力端子、端子Ｂを信号光出力端子に設定することで、信号光の反射を阻止すると同時にＯＴＤＲ信号または監視制御光を双方向に進行させることが可能となる。光フィルタの透過帯域はｎｍのオーダーに設定可能であり、かつその中心波長は柔軟な制御が可能であるから、特許文献７に記載の構成が有している問題点は解消される。
【００３９】
図２は、４端子の光サーキュレータ１に代えて３端子の光サーキュレータ４を用いた信号光反射阻止回路３の構成例である。端子Ａから入射された光は、３端子の光サーキュレータ４の第１端子から第２端子へ進み、端子Ｂへと出力される。一方、端子Ｂから入射された光は、３端子の光サーキュレータ４の第２端子から第３端子へ進み、光フィルタ２へ入射される。端子Ｂから入射された光が光フィルタ２の透過帯城以外であった場合はここで終端されるが、透過帯域内であった場合は光フィルタ２を透過して全反射ミラー５にて反射され、再び光フィルタ２を透過して３端子の光サーキュレータ４の第３端子へ戻り、第１端子を経由して端子Ａから出力される。結果として、図１の例と同様に、端子ＡからＢへは任意の波長の光が進行し、端子ＢからＡへは光フィルタ２の透過帯域内の信号のみが進行することができる。
【００４０】
信号光反射阻止回路３を光伝送システムに組み込む際には、信号光の波長は光フィルタ２の透過帯域外とし、ＯＴＤＲ信号や監視制御信号の波長は光フィルタ２の透過帯域内とし、端子Ａを信号光入力ポート、端子Ｂを信号光出力ポートに設定することで、信号光の反射を阻止すると同時にＯＴＤＲ信号または監視制御光を双方向に進行させることが可能となる。
【００４１】
（信号光反射阻止回路の第１の実施形態）
図３は、第１の実施形態における信号光反射阻止回路３の構成を示すブロック図である。光サーキュレータ１は、第１から第４の４つの端子を有し、端子間で巡回的に光を伝播できるものを使用する。すなわち、第１から第４の４つの端子を持ち、第１の端子から第２の端子、第２の端子から第３の端子、第３の端子から第４の端子及び第４の端子から第１の端子の方向へは光を伝播させ、これ以外の方向へは光を遮断するタイプのものを使用する。逆方向への伝播を完全に阻止することは技術的に困難であるが、透過率−５０ｄＢ以下であることが望ましい。他の各光学部品の結線は、信号光反射阻止回路３内での反射を避けるために融着もしくは斜め研磨のコネクタで結合する。信号光入力ポート、信号光出力ポートの反射減推量は−５０ｄＢ以下が望ましい。この実施形態では光フィルタ２としてＢＰＦ（バンドパスフィルタ）２１を用いているが、ＢＰＦ２１以外にも波長軸上に透過帯城と遮断帯城を各々１つ以上もつ光フィルタでも実現可能である。エタロンで構成してもよいし、ＡＷＧ（arrayed waveguide grating）の組み合わせによって、波長軸上に周期的な透過帯城と遮断帯城を複数作ってもよく、ＭＥＭＳ（micro electro mechanical systems）を使用したゲインイコライザのような損失を波長ごとに設定できる光デバイスを使っても良い。透過領域における損失は数ｄＢ以下、遮断領域の損失は５０ｄＢ以上であることが望ましい。信号光入力ポートおよび信号光出力ポートの入出力特性と、ＢＰＦの光学特性の関連については、前述したとおりである。
【００４２】
図４に、ＢＰＦ２１の損失の一例を模式図で示す。この例では、光ファイバの損失が最も小さくなる１．５５μｍ近傍を透過帯城とし、ＷＤＭ伝送に良く用いられるＬ帯の領域を遮断領域としている。この信号光反射阻止回路３を光伝送路内の任意の箇所に設置することにより、１．５５μｍの光を双方向に伝播させることが出来、かつＬ帯の光の多重反射を防ぐことが出来る。なおこの波長配置は一例であり、後述のように透過領域を狭めたり遮断領域の数を増やしても良い。
【００４３】
（信号光反射阻止回路の第２の実施形態）
図５は、第２の実施形態における信号光反射阻止回路３の構成を示すブロック図である。これは、第１の実施形態における４端子の光サーキュレータ１の代わりに３端子の光サーキュレータを用いたものである。光サーキュレータ４は、第１から第３の３つの端子を有し、端子間で巡回的に光を伝播できるものを使用する。すなわち、第１から第３の３つの端子を持ち、第１の端子から第２の端子、第２の端子から第３の端子、第３の端子から第１の端子の方向へは光を伝播させ、これ以外の方向へは光を遮断するタイプのものを使用する。光サーキュレータ４の透過率やコネクタの反射減推量については第１の実施形態と同様である。この実施形態では光フィルタ２としてＢＰＦ２１を用いているが、ＢＰＦ以外にも波長軸上に透過帯域と遮断帯域を各々１つ以上もつ光フィルタでも実現可能である。エタロンで構成してもよいし、ＡＷＧの組み合わせによって、波長軸上に周期的な透過帯城と遮断帯域を複数作ってもよく、ＭＥＭＳを使用したゲインイコライザのような損失を波長ごとに設定できる光デバイスを使っても良い。信号光反射阻止回路３の入出力特性と、ＢＰＦ２１の光学特性の関連については前述のとおりである。第１の実施形態と異なり、第２の実施形態では透過領域における光がＢＰＦ２１を２回透過するため、損失はｄＢ表記で２倍になる。全反射ミラー５は広い波長領域において反射率がフラットなものが望ましいが、ＢＰＦ２１の遮断領域の波長であれば反射率が低下してもよい。ＢＰＦ２１と全反射ミラー５の組み合わせからなる系の反射減推量は、ＢＰＦ２１の透過領域において数ｄＢ以下、光フィルタ２の遮断領域において５０ｄＢ以上であることが望ましい。      
【００４４】
（信号光反射阻止回路の第３の実施形態）
図６は、第３の実施形態における信号光反射阻止回路３の構成を示すブロック図である。これは、第２の実施形態におけるＢＰＦ２１および全反射ミラー５を、ファイバグレーティング２２および光終端９で置き換えたものである。光サーキュレータ４の透過率やコネクタの反射減推量については第１の実施形態と同様である。ファイバグレーティング２２は、特定の波長の光を反射するタイプのものであり波長軸上に反射波長を１つ以上もつものであれば良い。信号光反射阻止回路３の入出力特性とファイバグレーティング２２の光学特性の関連は、第２の実施形態とほぼ同様である。ただし、第２の実施形態におけるＢＰＦ２１の透過領域の波長が、第３の実施形態におけるファイバグレーティング２２の反射波長に対応し、第２の実施形態におけるＢＰＦ２１の遮断領域の波長が、第３の実施形態におけるファイバグレーティング２２の透過波長に対応している。すなわち、信号光出力ポートから入力された光がファイバグレーティング２２の反射波長である場合、この光は光終端９に届くことなく反射され、３端子の光サーキュレータ４のポート３およびポート１を経由して信号光入力ポートから出力される。信号光出力ポートから入力された光がファイバグレーティング２２の反射波長ではない場合、この光は光終端９にて終端される。ファイバグレーティング２２の反射波長における反射減衰量は数ｄＢ以下、光終端９の反射減衰量は５０ｄＢ以上であることが望ましい。
【００４５】
（信号光反射阻止回路の第４の実施形態）
図７は、第４の実施形態における信号光反射阻止回路３の構成を示すブロック図である。これは、第２の実施形態におけるＢＰＦ２１を、第１のＡＷＧ２３および第２のＡＷＧ２４で置き換えたものである。光サーキュレータ４の透過率やコネクタの反射減推量については第１の実施形態と同様である。第１のＡＷＧ２３の入力Ｐａから第２のＡＷＧ２４の出力Ｐｂを透過可能な波長Λ１〜Λｎは、波長軸上で等しい間隔となる。信号光反射阻止回路３の入出力特性と、第１のＡＷＧ２３および第２のＡＷＧ２４から成る系の光学特性の関連については第２の実施形態と同様であり、Λ１〜Λｎのｎ種類の波長は双方向に伝播する。図８に、第１のＡＷＧ２３および第２のＡＷＧ２４からなる系の透過率（ＰａからＰｂへの透過率）の一例を模式図で示す。この例では、ＷＤＭ伝送に良く用いられるＬ帯に、複数の透過帯域と遮断帯域を周期的に配置している。この信号光反射阻止回路３を光伝送路内の任意の箇所に設置することにより、双方向に伝播可能な波長と、一方向のみに伝播可能な波長とをＬ帯上で周期的に配列することができる。
【００４６】
次に、前述した信号光反射阻止回路３を用いた光伝送システムを説明する。
（信号光反射阻止回路を用いた光伝送システムの第１の実施形態）
図９は、前述した信号光反射阻止回路３を用いた第１の実施形態の光伝送システムの構成を示すブロック図である。送信局３１は、λ１〜λｎの波長の信号光を各々出力するｎ個の送信器３２と、λＯＴＤＲの波長のＯＴＤＲ信号を発するＯＴＤＲ試験器３３を有する。第１のＡＷＧ３４によって波長λ１〜λｎの信号光は合波され、更にＷＤＭカップラ３５によってＯＴＤＲ信号が合波されたうえで、光伝送路５１に出力される。光伝送路５１は複数の光ファイバと信号光反射阻止回路３とを光コネクタ５２で縦列接続して構成される。信号光反射阻止回路３の上流側の光伝送路と下流側の光伝送路との両者に光コネクタ５２が含まれる配置が望ましい。前述のように信号光反射阻止回路３の透過帯域は入射光の方向に依存するが、送信局３１から受信局４１へ進む光とその逆について、λＯＴＤＲおよび波長λ１〜λｎとともに図１０に図示する。光コネクタ５２による信号光の反射や、光ファイバ中での信号光のレーリー散乱に由来する多重反射は信号光反射阻止回路３によって阻止されるが、ＯＴＤＲ信号は双方向に伝播するので、ＯＴＤＲ試験は可能となる。この実施形態では、λＯＴＤＲの波長のＯＴＤＲ信号を用いているが、ＯＴＤＲ信号に代えて監視制御信号としても良い。また、ＯＴＤＲ信号や監視制御信号は受信局４１側から発するようにしても良い。またこの実施形態では受信局４１から送信局３１へ進む光に関して、信号光反射阻止回路３の透過帯域を単一のものとしたが、前述した第４の実施形態の信号光反射阻止回路３のように、この方向の透過帯域が複数に分離していてもよい。
【００４７】
（信号光反射阻止回路を用いた光伝送システムの第２の実施形態）
図１１は、前述した信号光反射阻止回路３を用いた第２の実施形態の光伝送システムの構成を示すブロック図である。送信局３１および受信局４１の構成は第１の実施形態と同様である。送信局３１と受信局４１を結ぶ伝送区間は、光伝送路５１および集中利得アンプ６１で構成される。集中利得アンプ６１は従来技術と同様に、ＥＤＦ６２と２つの励起光源６３および２つのＷＤＭカップラ６４から構成されるが、本実施形態では更に信号光反射阻止回路３を入出力端に配置する。前述のように信号光反射阻止回路３の透過帯域は入射光の方向に依存するが、送信局３１から受信局４１へ進む光とその逆について、λＯＴＤＲおよびλ１〜λｎとともに図１２に図示する。この実施形態では、受信局４１から送信局３１へ進む光については、複数の透過帯域と遮断帯域とが周期的に配置されており、信号光λ１〜λｎは遮断帯域に配列され、λＯＴＤＲは透過帯域の一つに配置されている。光ファイバ中での信号光のレーリー散乱は信号光反射阻止回路３によって遮断されるため、ＥＤＦ６２内での多重反射による発振は阻止されるが、ＯＴＤＲ信号は双方向に伝播するので、ＯＴＤＲ試験は可能となる。また、ＯＴＤＲ信号が信号光の波長と近接しているので、損失に波長依存性のある光学デバイスを合む光伝送システムでも、信号光のパワダイヤを正しく測定することができる。
この実施形態では、λＯＴＤＲの波長のＯＴＤＲ信号を用いているが、ＯＴＤＲ信号に代えて監視制御信号としても良い。また、ＯＴＤＲ信号や監視制御信号は受信局４１側から発するようにしても良い。また、この実施形態では受信局４１から送信局３１へ進む光に関して、信号光反射阻止回路３の透過帯域を複数としたが、伝送システムの損失の波長依存性を無視できる場合は、第１の実施形態の信号光反射阻止回路３のように透過帯域が単一であってもよい。
【００４８】
（信号光反射阻止回路を用いた光伝送システムの第３の実施形態）
図１３は、前述した信号光反射阻止回路３を用いた第３の実施形態の光伝送システムの構成を示すブロック図である。送信局３１および受信局４１の構成は第１の実施形態と同様に送信器３２とＯＴＤＲ試験器３３を合むが、本実施形態では更に、伝送区間内のＥＤＦ７２を遠隔励起するための励起光源３６を合む。この励起光の波長λｐはＥＤＦ７２を励起できる波長であれば良いが、ここでは１．４８μｍとする。この励起波長を選ぶことにより、ＥＤＦ７２だけでなく、光伝送路内でのラマン増幅によっても、信号光は利得を受ける。励起光λｐは、ＷＤＭカップラ３５によって、信号光λ１〜λｎおよびＯＴＤＲ信号λＯＴＤＲと合波される。送信局３１と受信局４１を結ぶ伝送区間は光伝送路５１および遠隔励起ユニット７１から構成される。遠隔励起ユニット７１は従来の遠隔励起構成と同様にＥＤＦ７２を有するが、本実施形態では更に信号光反射阻止回路３を入出力端に配置する。前述のように信号光反射阻止回路３の透過帯域は入射光の方向に依存するが、送信局３１から受信局４１へ進む光とその逆について、λＯＴＤＲ、λｐおよびλ１〜λｎとともに図１４に図示する。光コネクタによる信号光の反射や、光ファイバ中での信号光のレーリー散乱に由来する多重反射は信号光反射阻止回路３によって遮断されるため、ＥＤＦ７２内での多重反射による発振は阻止されるが、ＯＴＤＲ信号は双方向に伝播するので、ＯＴＤＲ試験は可能となる。また、受信局４１および送信局３１から送信される励起光は、信号光反射阻止回路３によって遮断されることなく、全区間を伝播することが出来るので、光伝送路内での信号光のラマン増幅を効率よく行うことができる。
この実施形態では、λＯＴＤＲの波長のＯＴＤＲ信号を用いているが、ＯＴＤＲ信号に代えて監視制御信号としても良い。また、ＯＴＤＲ信号や監視制御信号は受信局４１側から発するようにしても良い。
【００４９】
（非可逆型の遠隔励起ユニットを用いた光伝送システムの第１の実施形態）
図１３に示す信号光反射阻止回路３を用いた光伝送システムでは、信号光反射阻止回路３の透過帯域がやや複雑であり、また巡回型の光サーキュレータ（すなわち、巡回的に光を伝播されるタイプで第１のポートから光を取り出せる光サーキュレータ）を用意する必要があった。ここでは、より簡便な構成（第１から第３の３つの端子を持ち、第１の端子から第２の端子へは光が伝播するが逆方向には伝播せず、また第２の端子から第３の端子へは光が伝播するが逆方向には伝播しない構成である第１および第２の光サーキュレータを用いた構成）で信号光の反射阻止とＯＴＤＲ試験を可能とする遠隔励起ユニット７１について説明する。
【００５０】
図１５は、図１３に示す遠隔励起ユニット７１の他の構成を示すブロック図である。
信号光入力ポートから入力された信号光は第１および第２の光サーキュレータ７３，７４と、ＥＤＦ７２と、共有ポート（励起波長とそれ以外の波長を入出力できるポート）、非励起波長ポート（非励起波長のみを入出力できるポート）及び励起波長ポート（励起波長のみを入出力できるポート）を有する第１および第２のＷＤＭカップラ７６，７７とを経由して信号光出力ポートヘ出力する。２つのＷＤＭカップラ７６，７７は励起光波長を分岐する分岐路（図中ではｐｕｍｐと示す）を有するが信号光はこの分岐路には進まず第２の光サーキュレータを通過する。
外部から信号光が反射して信号光出力ポートに逆流した場合、第２の光サーキュレータ７４を通過してＢＰＦ７５に到達するが、信号光はここで遮断される。
信号光入力ポートから入力された励起光は第１の光サーキュレータ７３を経由してＥＤＦ７２を励起する。信号光出力ポートから入力された励起光は第１および第２のＷＤＭカップラ７６，７７の励起波長用の分岐路（ｐｕｍｐ）を経由してＥＤＦ７２を励起する。
なお、図１５に示すＥＤＦ７２と第２のＷＤＭカップラ７７を図１７に示す位置に配置する（ＥＤＦ７２と第２のＷＤＭカップラ７７の接続順番が逆）ようにしてもよい。
【００５１】
図１６は、図１３に示す遠隔励起ユニット７１の他の構成を示すブロック図である。
信号光入力ポートから入力されたＯＴＤＲ光は、信号光と同様にＥＤＦ７２を通過して最終的には信号光出力ポートから出力される。外部からＯＴＤＲ光が反射して信号光出力ポートに入力した場合、第２の光サーキュレータ７４を通過してＢＰＦ７５に到達するが、ＯＴＤＲ光はこれを通過し、第１の光サーキュレータ７３を経由して信号光入力ポートから送信局へ送り返される。
なお、図１６に示すＥＤＦ７２と第２のＷＤＭカップラ７７を図１８に示す位置に配置する（ＥＤＦ７２と第２のＷＤＭカップラ７７の接続順番が逆）ようにしてもよい。
【００５２】
これらの実施形態では、λＯＴＤＲの波長のＯＴＤＲ信号を用いているが、ＯＴＤＲ信号に代えて監視制御信号としても良い。また、ＯＴＤＲ信号や監視制御信号は受信局側から発しても良い。ＯＴＤＲ信号は一般に周期的なパルス信号であるが、ＯＴＤＲ信号の瞬時強度および周期がエルビウムドープファイバのゲインダイナミクスに影響を与えうる場合には、ＯＴＤＲ信号は受信側から発することが望ましい。この場合、ＯＴＤＲ信号は往路においてエルビウムドープファイバを迂回し、ＯＴＤＲ信号の反射光のみがエルビウムドープファイバを通過するが、ＯＴＤＲ信号の反射光はＯＴＤＲ信号そのものよりも強度が小さいので、エルビウムドープファイバのゲインダイナミクスに与える影響は緩和される。
【００５３】
信号光波長多重信号であり、かつＯＴＤＲ光と各信号光との相互作用が無視できない場合は、ＯＴＤＲ光の波長は信号帯域の外側に配置することが望ましい。すなわち図１０や図１４において、λＯＴＤＲ＜λ１またはλＯＴＤＲ＞λ３のいずれかにすることが望ましい。短波長側の外側か長波長側の外側かのどちらを選択するかについては、事故その他により励起光強度が減少または遮断された場合でも、ＯＴＤＲ測定のダイナミックレンジを確保するために、励起光が存在しない場合におけるＥＤＦの損失が小さい側を選択すればよい。具体的には、充分小さいパワーのＯＴＤＲ光に対する、励起光が存在する場合のＥＤＦの利得Ｇｐｕｍｐ（Ｇｐｕｍｐ＞０ｄＢ）と、励起光が存在しない場合のＥＤＦの損失Ｌ（Ｌ＜０ｄＢ）との差の最大値が、１０ｄＢ以下であることが望ましい。これは、ＯＴＤＲのダイナミックレンジが４０ｄＢ程度であり、かつ遠隔励起ユニットとＯＴＤＲ装置とを接続する光伝送路の損失が１０〜２０ｄＢ見込まれるためである。遠隔励起ユニットの両側に配置された２つの光伝送路全域に渡っての測定を考慮すれば、ＥＤＦの利得ＧｐｕｍｐとＥＤＦの損失Ｌとの差の最大値を、５ｄＢ以下とすることがより望ましい。また、励起光強度の減少を精度良く検出するためには、ＥＤＦの利得ＧｐｕｍｐとＥＤＦの損失Ｌとの差の最小値を、１ｄＢ以上とすることが望ましい。
【００５４】
なお、前述した実施形態におけるエルビウムドープファイバ（ＥＤＦ）は、他の希土類元素ドープファイバに置き換えてもよい。
【図面の簡単な説明】
【００５５】
【図１】本発明の信号光反射阻止回路の原理を説明するためのブロック図である。
【図２】本発明の信号光反射阻止回路の原理を説明するためのブロック図である。
【図３】第１の実施形態における信号光反射阻止回路３の構成を示すブロック図である。
【図４】ＢＰＦの損失の一例を示す模式図である。
【図５】第２の実施形態における信号光反射阻止回路３の構成を示すブロック図である。
【図６】第３の実施形態における信号光反射阻止回路３の構成を示すブロック図である。
【図７】第４の実施形態における信号光反射阻止回路３の構成を示すブロック図である。
【図８】第１のＡＷＧ２３および第２のＡＷＧ２４からなる系の透過率（ＰａからＰｂへの透過率）の一例を示す模式図である。
【図９】信号光反射阻止回路３を用いた第１の実施形態の光伝送システムの構成を示すブロック図である。
【図１０】信号光反射阻止回路３の透過率を示す説明図である。
【図１１】信号光反射阻止回路３を用いた第２の実施形態の光伝送システムの構成を示すブロック図である。
【図１２】信号光反射阻止回路３の透過率を示す説明図である。。
【図１３】信号光反射阻止回路３を用いた第３の実施形態の光伝送システムの構成を示すブロック図である。
【図１４】信号光反射阻止回路３の透過率を示す説明図である。
【図１５】図１３に示す遠隔励起ユニット７１の他の構成を示すブロック図である。
【図１６】図１３に示す遠隔励起ユニット７１の他の構成を示すブロック図である。
【図１７】図１３に示す遠隔励起ユニット７１の他の構成を示すブロック図である。
【図１８】図１３に示す遠隔励起ユニット７１の他の構成を示すブロック図である。
【符号の説明】
【００５６】
１…４端子の光サーキュレータ、  ２…光フィルタ、
２１…ＢＰＦ、                  ２２…ファイバグレーティング、
２３…第１のＡＷＧ、            ２４…第２のＡＷＧ、
３…信号光反射阻止回路、        ４…３端子の光サーキュレータ、
５…全反射ミラー、              ９…光終端、
３１…送信局、                  ３２…送信器、
３３…ＯＴＤＲ試験器、          ３４…第１のＡＷＧ、
３５…ＷＤＭカップラ、          ３６…励起光源、
４１…受信局、                  ４２…受信器、
４３…第２のＡＷＧ、            ４４…励起光源、
４５…ＷＤＭカップラ、          ５１…光伝送路、
５２…光コネクタ、              ６１…集中利得アンプ、
６２…ＥＤＦ、                  ６３…励起光源、
６４…ＷＤＭカップラ、          ７１…遠隔励起ユニット、
７２…ＥＤＦ、                  ７３…第１の光サーキュレータ、
７４…第２の光サーキュレータ、  ７５…ＢＰＦ、
７６…第１のＷＤＭカップラ
【図１】
2005102107.tif 000003
【図２】
2005102107.tif 000004
【図３】
2005102107.tif 000005
【図４】
2005102107.tif 000006
【図５】
2005102107.tif 000007
【図６】
2005102107.tif 000008
【図７】
2005102107.tif 000009
【図８】
2005102107.tif 000010
【図９】
2005102107.tif 000011
【図１０】
2005102107.tif 000012
【図１１】
2005102107.tif 000013
【図１２】
2005102107.tif 000014
【図１３】
2005102107.tif 000015
【図１４】
2005102107.tif 000016
【図１５】
2005102107.tif 000017
【図１６】
2005102107.tif 000018
【図１７】
2005102107.tif 000019
【図１８】
2005102107.tif 000020